(57)【要約】      （修正有）【課題】膨張式救命胴衣によって着用者の浮遊姿勢を安定させて保護することができる着脱式の膨張式救命胴衣を備えたハーネス型安全帯を提供する。【解決手段】ハーネス型安全帯１０と、着用者の首の後ろから両胸に掛けて着用する膨張式救命胴衣４０であって、気体が充填されることで膨らむ気室部材と、前記気室部材の気室に気体が充填されていない状態で当該気室部材を内部に保持するカバー部材６０と、を具備し、前記カバー部材６０は、前記右肩ベルト部１４及び前記左肩ベルト部１５に沿って着脱可能に固定されており、前記カバー部材６０は、前記気室部材の気室内に気体が充填されて膨らむことで開き、前記気室部材の両端部のそれぞれは、幅方向の外側が前記カバー部材に固定され、前記気室部材の前記気室内に気体が充填されて膨張した際に、当該気室部材は、前記カバー部材６０との固定部分よりも内側に向かって膨張する。【選択図】図２
2020031861.tif 000002
【特許請求の範囲】
【請求項１】
右肩ベルト部と左肩ベルト部と右腿ベルト部と左腿ベルト部と前記右肩ベルト部に一端が固定された右胸ベルトと前記左肩ベルト部に一端が固定された左胸ベルトと前記右胸ベルトと前記左胸ベルトとのそれぞれに設けられて、互いに着脱可能に設けられた連結具と、を具備するハーネス型安全帯と、
逆Ｕ字形状を有し、着用者の首の後ろから両胸に掛けて着用する膨張式救命胴衣であって、前記ハーネス型安全帯に着脱可能に設けられた膨張式救命胴衣と、
を具備し、
前記膨張式救命胴衣は、
気体が充填されることで膨らむ気室部材と、
前記気室部材の気室に気体が充填されていない状態で当該気室部材を内部に保持するカバー部材と、
を具備し、
前記カバー部材は、前記右肩ベルト部及び前記左肩ベルト部に沿って着脱可能に固定されており、
前記カバー部材は、前記気室部材の気室内に気体が充填されて膨らむことで開き、
前記気室部材の両端部のそれぞれは、幅方向の外側が前記カバー部材に固定され、
前記気室部材の前記気室内に気体が充填されて膨張した際に、当該気室部材は、前記カバー部材との固定部分よりも内側に向かって膨張することを特徴とする着脱可能な膨張式救命胴衣を備えたハーネス型安全帯。
【請求項２】
前記カバー部材は、幅方向の内側が開口することを特徴とする請求項１記載の着脱可能な膨張式救命胴衣を備えたハーネス型安全帯。
【請求項３】
前記カバー部材は、幅方向の外側が開口することを特徴とする請求項１記載の着脱可能な膨張式救命胴衣を備えたハーネス型安全帯。
【請求項４】
前記膨張式救命胴衣は、
前記カバー部材の両端部が固定された救命胴衣用腰ベルトと、
前記救命胴衣用腰ベルトと前記カバー部材の首の後ろの部分とを接続する背ベルトと、
をさらに具備することを特徴とする請求項１〜３の何れか一項に記載の着脱可能な膨張式救命胴衣を備えたハーネス型安全帯。
【請求項５】
前記カバー部材の両端部のそれぞれは、前記右肩ベルト部と前記左肩ベルト部との前記胸ベルトよりも下に着脱可能に固定されることを特徴とする請求項１〜４の何れか一項に記載の着脱可能な膨張式救命胴衣を備えたハーネス型安全帯。
【発明の詳細な説明】
【技術分野】
【０００１】
本発明は、着脱可能な膨張式救命胴衣を備えたハーネス型安全帯に関する。
【背景技術】
【０００２】
海、湖沼、河川における水難事故において、水難者の安全を確保するための救命胴衣（ライフジャケット）として、ガスなどの気体によって気室部材を膨張させる膨張式救命胴衣がある（例えば、特許文献１参照）。
【０００３】
このような膨張式救命胴衣は、水難事故が発生する前の通常時には気室部材が萎んでいるため、港湾や河川敷などの水辺で作業を行う作業者（着用者とも言う）が着用するのに適している。
【０００４】
また、高所作業において、作業者の落下防止のためにハーネス型安全帯が用いられている。
【０００５】
このため、水辺で高所作業を行うためには、作業者はハーネス型安全帯と膨張式救命胴衣との両方を着用しなくてはならない。
【０００６】
なお、落石防護用救命胴衣に墜落防止用安全帯を一体型に構成したものも提案されている（例えば、特許文献２参照）。
【先行技術文献】
【特許文献】
【０００７】
【特許文献１】特開２００６−１９３１０５号公報
【特許文献２】特開２０１５−１４０５０５号公報
【発明の概要】
【発明が解決しようとする課題】
【０００８】
しかしながら、水辺で高所作業を行う作業者は、膨張式救命胴衣とハーネス型安全帯との両方を着用しなくてはならないが、膨張式救命胴衣とハーネス型安全帯とを個別に脱着するのは煩雑であるという問題がある。
また、構造によっては膨張式救命胴衣の背ベルトがハーネス型安全帯の背中に設けられたＤ環に干渉してしまい、ハーネス型安全帯の墜落防止性能に影響を及ぼす恐れがある。
【０００９】
このため、膨張式救命胴衣をハーネス型安全帯に一体的に固定する方法も考えられるものの、単体で使用可能な膨張式救命胴衣は、首が脱落しないように顎下において端部同士が近接して配置されたＶ字形状の開口となる形状を有するため、このような膨張式救命胴衣をハーネス型安全帯に固定すると、膨張式救命胴衣によってハーネス型安全帯の胸ベルトが覆われてしまい、胸ベルトの操作が困難になり、ハーネス型安全帯の脱着が煩雑になるという問題がある。
【００１０】
また、膨張式救命胴衣の胸部の端部をハーネス型安全帯の肩ベルト部に固定すると、膨張式救命胴衣の両端部が離れてしまい、着用者の顎下に空間が形成され、気室部材が膨張した際に顎下に気室部材が配置され難い。着用者の顎下に膨張した気室部材が配置されないと着用者の顎を確実に浮かすことができず、着用者の浮遊姿勢が安定した後傾とならずに垂直に近い浮遊姿勢となり、着用者の口元を水面から離すことができなくなってしまう。
【００１１】
また、膨張式救命胴衣をハーネス型安全帯に固定して一体化してしまうと、水辺以外の作業でハーネス型安全帯を単体で利用できず、作業性が低下してしまうと共に、別途、単体のハーネス型安全帯だけを用意する必要があり、高コストになってしまうという問題がある。
【００１２】
このため、ハーネス型安全帯に着脱可能で、且つハーネス型安全帯に装着した際に着用者を安全に保護することができる最適化された膨張式救命胴衣が望まれている。
【００１３】
本発明はこのような事情に鑑み、膨張式救命胴衣をハーネス型安全帯に着脱可能としてハーネス型安全帯を単体で利用することができ、作業性を向上してコストを低減することができると共に、膨張式救命胴衣が固定されたハーネス型安全帯を作業者が容易に脱着することができ、且つ膨張式救命胴衣によって着用者の浮遊姿勢を安定させて安全に保護することができる着脱式の膨張式救命胴衣を備えたハーネス型安全帯を提供することを課題とする。
【課題を解決するための手段】
【００１４】
上記課題を解決する本発明の態様は、右肩ベルト部と左肩ベルト部と右腿ベルト部と左腿ベルト部と前記右肩ベルト部に一端が固定された右胸ベルトと前記左肩ベルト部に一端が固定された左胸ベルトと前記右胸ベルトと前記左胸ベルトとのそれぞれに設けられて、互いに着脱可能に設けられた連結具と、を具備するハーネス型安全帯と、逆Ｕ字形状を有し、着用者の首の後ろから両胸に掛けて着用する膨張式救命胴衣であって、前記ハーネス型安全帯に着脱可能に設けられた膨張式救命胴衣と、を具備し、前記膨張式救命胴衣は、気体が充填されることで膨らむ気室部材と、前記気室部材の気室に気体が充填されていない状態で当該気室部材を内部に保持するカバー部材と、を具備し、前記カバー部材は、前記右肩ベルト部及び前記左肩ベルト部に沿って着脱可能に固定されており、前記カバー部材は、前記気室部材の気室内に気体が充填されて膨らむことで開き、前記気室部材の両端部のそれぞれは、幅方向の外側が前記カバー部材に固定され、前記気室部材の前記気室内に気体が充填されて膨張した際に、当該気室部材は、前記カバー部材との固定部分よりも内側に向かって膨張することを特徴とする着脱可能な膨張式救命胴衣を備えたハーネス型安全帯にある。
【００１５】
ここで、前記カバー部材は、幅方向の内側が開口することが好ましい。
【００１６】
また、前記カバー部材は、幅方向の外側が開口することが好ましい。
【００１７】
また、前記膨張式救命胴衣は、前記カバー部材の両端部が固定された救命胴衣用腰ベルトと、前記救命胴衣用腰ベルトと前記カバー部材の首の後ろの部分とを接続する背ベルトと、をさらに具備することが好ましい。
【００１８】
また、前記カバー部材の両端部のそれぞれは、前記右肩ベルト部と前記左肩ベルト部との前記腰ベルトよりも下に着脱可能に固定されることが好ましい。
【発明の効果】
【００１９】
本発明は、膨張式救命胴衣をハーネス型安全帯に着脱可能とすることで、ハーネス型安全帯を単体で着用することができ作業性を向上することができると共にコストを低減することができる。また、膨張式救命胴衣をハーネス型安全帯に固定することで、ハーネス型安全帯の着脱を行うのと同時に膨張式救命胴衣の着脱を行うことができるため、膨張式救命胴衣とハーネス型安全帯とのそれぞれを着脱するのに比べて着脱を容易に行うことができる。さらに、膨張式救命胴衣のカバー部材は、ハーネス型安全帯の右肩ベルト部及び左肩ベルト部に沿って固定されるため、膨張式救命胴衣がハーネス型安全帯の胸ベルト及び連結具を覆うことがなく、ハーネス型安全帯の着脱を容易に行うことができる。また、膨張式救命胴衣がハーネス型安全帯に固定された際に、カバー部材の両端部が着用者の中心線から離れた位置に配置されていても、気室部材の両端部の外側をカバー部材に固定することで、気室部材を着用者の中心線に向かって膨張することができ、着用者の顎下の浮力を確保して、着用者の浮遊姿勢を安定して後傾にすることができ、口元の水面からの距離を確保することができる。
【図面の簡単な説明】
【００２０】
【図１】本発明の実施形態１に係る着脱可能な膨張式救命胴衣を備えたハーネス型安全帯を示す正面図である。
【図２】本発明の実施形態１に係る着脱可能な膨張式救命胴衣を備えたハーネス型安全帯を示す背面図である。
【図３】本発明の実施形態１に係るハーネス型安全帯のハーネス型安全帯の正面図である。
【図４】本発明の実施形態１に係るハーネス型安全帯を着用者が装着した正面図及び背面図である。
【図５】本発明の実施形態１に係る膨張式救命胴衣の正面図及び背面図である。
【図６】本発明の実施形態１に係る膨張式救命胴衣の気室部材を広げた状態及び膨張させた状態の正面図である。
【図７】本発明の実施形態１に係る膨張式救命胴衣を着用者が着用した正面図及び気室部材を膨張させた図である。
【図８】本発明の実施形態１に係る膨張式救命胴衣を固定したハーネス型安全帯を着用者が着用した正面図及び気室部材を膨張させた図である。
【図９】比較例となる従来の膨張式救命胴衣とハーネス型安全帯とを着用者が着用した図である。
【図１０】本発明の実施形態２に係る膨張式救命胴衣の正面図及び背面図である。
【図１１】本発明の実施形態２に係る膨張式救命胴衣の気室部材を広げた状態及び膨張させた状態の正面図である。
【発明を実施するための形態】
【００２１】
以下に本発明を実施形態に基づいて詳細に説明する。
【００２２】
（実施形態１）
図１は、本発明の着脱可能な膨張式救命胴衣を備えたハーネス型安全帯を示す正面図であり、図２は、着脱可能な膨張式救命胴衣を備えたハーネス型安全帯を示す背面図である。
【００２３】
図示するように、ハーネス型安全帯１０と膨張式救命胴衣４０とを有する。ここで、ハーネス型安全帯についてさらに図３及び図４を参照して説明する。なお、図３は、ハーネス型安全帯の正面図であり、図４は、着用者がハーネス型安全帯を着用した正面図及び背面図である。
【００２４】
図３及び図４に示すように、ハーネス型安全帯１０を構成する２本のベルト１１、１２は、ハーネス型安全帯１０を装着する着用者１の背面上部においてバックル１３によって交差された状態で保持されている。
【００２５】
このようなバックル１３によって保持された２本のベルト１１、１２は、バックル１３から上方に延設された一方のベルト１１と、バックル１３から下方に延設された他方のベルト１２とが環状となるように縫い合わされている。このバックル１３とバックル１３よりも上方のベルト１１とバックル１３よりも下方のベルト１２とによって環状に形成された部分が着用者１の右肩に掛けられる右肩ベルト部１４となっている。
【００２６】
同様に、バックル１３から上方に延設された他方のベルト１２と、バックル１３から下方に延設された一方のベルト１１とが環状になるように縫い合わされている。このバックル１３とバックル１３よりも上方のベルト１２とバックル１３よりも下方のベルト１１とによって環状に形成された部分が着用者１の左肩に掛けられる左肩ベルト部１５となっている。
【００２７】
また、右肩ベルト部１４を形成した一方のベルト１１の端部と他方のベルト１２とは、互いに縫い付けられた部分よりも下側の端部のそれぞれに連結具１６、１７が設けられている。ベルト１１には、端部を連結具１６に通して折り返し、ベルト１１を重ねた状態で維持するリング１８が設けられている。ベルト１１には、本実施形態では、２つのリング１８が設けられているが、リング１８の数は限定されるものではなく、１つであってもよく、また３つ以上であってもよい。このようにベルト１１にリング１８を設けることによってベルト１１の長さが調整可能となっている。
【００２８】
また、連結具１６、１７は、互いに着脱可能なものであり、ベルト１１、１２が互いに縫い付けられた部分よりも下側において右肩ベルト部１４を形成した一方のベルト１１の他端部と他方のベルト１２の他端部とを連結具１６、１７によって接続することで環状に形成される。このようにベルト１１、１２によって環状に形成された部分が右腿ベルト部１９となっている。すなわち、ベルト１１、１２が互いに縫い付けられた部分よりも下側の一方のベルト１１の連結具１６を着用者の後方から股下を通して前方に移動させ、移動させた連結具１６を縫い付けられた部分よりも下側の他方のベルト１２の連結具１７と着用者１の前面で装着することで右腿ベルト部１９が着用者１の右腿に装着される。
【００２９】
同様に、左肩ベルト部１５を形成した他方のベルト１２と一方のベルト１１とは、互いに縫い付けられた部分よりも下側の端部のそれぞれに連結具２０、２１が設けられている。ベルト１２には、端部を連結具２０に通して折り返し、ベルト１２を重ねた状態で維持するリング２２が設けられている。ベルト１２には、本実施形態では、２つのリング２２が設けられているが、リング２２の数は限定されるものではなく、１つであってもよく、また３つ以上であってもよい。このようにベルト１２にリング２２を設けることによってベルト１２の長さが調整可能となっている。
【００３０】
また、連結具２０、２１は、互いに着脱可能なものであり、互いに縫い付けられた部分よりも下側において左肩ベルト部１５を形成した一方のベルト１１の端部と他方のベルト１２の端部との先端同士を連結具２０、２１によって接続することで環状に形成される。この環状に形成された部分が左腿ベルト部２３となっている。すなわち、互いに縫い付けられた部分よりも下側の他方のベルト１２の連結具２０を着用者の後方から股下を通して前方に移動させ、移動させた連結具２０を縫い付けられた部分よりも下側の一方のベルト１１の連結具２１と着用者の前面で装着することで左腿ベルト部２３が着用者１の左腿に装着される。
【００３１】
なお、右腿ベルト部１９を形成する連結具１６、１７、及び、左腿ベルト部２３を形成する連結具２０、２１の材料は特に限定されず、例えば、樹脂製や金属製のものを用いることができる。
【００３２】
また、図３及び図４（ｂ）に示すように、右腿ベルト部１９となる縫い付けられた部分よりも下方のベルト１１と、左腿ベルト部２３となる縫い付けられた部分よりも下方のベルト１２とには、尻当てベルト２４の両端部が縫い付けられている。
【００３３】
さらに、バックル１３よりも下のベルト１１、１２と尻当てベルト２４とには、これらベルト１１、１２と尻当てベルト２４とで囲まれた開口を塞ぐように設けられた背当て布２５が縫い付けられている。背当て布２５は、本実施形態では、メッシュ生地で形成されている。もちろん、背当て布２５は、メッシュ生地に限定されるものではない。
【００３４】
また、右肩ベルト部１４には、右胸ベルト２６の一端が固定されており、左肩ベルト部１５には、左胸ベルト２７の一端が固定されている。右胸ベルト２６及び左胸ベルト２７のそれぞれの右肩ベルト部１４及び左肩ベルト部１５への固定は、本実施形態では、右胸ベルト２６の端部を折り返して環状になるように縫い付け、右胸ベルト２６の端部に設けられた環に右肩ベルト部１４を挿通することで行われている。また、左胸ベルト２７も同様に、左胸ベルト２７の端部を折り返して環状になるように縫い付け、左胸ベルト２７の端部に設けられた環に左肩ベルト部１５を挿通することで固定されている。すなわち、右胸ベルト２６及び左胸ベルト２７は、それぞれ右肩ベルト部１４及び左肩ベルト部１５に沿って上下方向に移動可能になっている。このように右胸ベルト２６及び左胸ベルト２７を右肩ベルト部１４及び左肩ベルト部１５に沿って上下方向に移動可能となるように固定することで、右胸ベルト２６及び左胸ベルト２７の位置を着用者１に合わせて調整することができる。もちろん、右胸ベルト２６及び左胸ベルト２７のそれぞれの右肩ベルト部１４及び左肩ベルト部１５への固定方法は、上述したものに限定されるものではなく、例えば、右胸ベルト２６及び左胸ベルト２７の端部のそれぞれを右肩ベルト部１４及び左肩ベルト部１５に直接縫い付けるようにしてもよい。これにより、右胸ベルト２６及び左胸ベルト２７が救命胴衣の気室の浮力で上方向に移動し、救命胴衣がずり上がり、浮力姿勢が垂直に近づくことがなくなるため、浮力姿勢を安定させることができる。
【００３５】
また、右胸ベルト２６の他端及び左胸ベルト２７の他端のそれぞれには、互いに着脱可能な胸ベルト用連結具２８、２９が設けられている。すなわち、右胸ベルト２６と左胸ベルト２７とは、胸ベルト用連結具２８、２９によって接続及び分離することができる。このような胸ベルト用連結具２８、２９の材料は特に限定されず、例えば、樹脂製や金属製のものを用いることができる。ただし、胸ベルト用連結具２８、２９は、樹脂製のものを用いるのが好ましい。これにより、軽量化すると共にコストを低減することができる。
【００３６】
右胸ベルト２６には、端部を胸ベルト用連結具２８に通して折り返し、右胸ベルト２６を重ねた状態で維持するリング３０が設けられている。このように右胸ベルト２６にリング３０を設けることによって右胸ベルト２６の長さが調整可能となっている。同様に、左胸ベルト２７には、端部を胸ベルト用連結具２９に通して折り返し、左胸ベルト２７を重ねた状態で維持するリング３１が設けられている。このように左胸ベルト２７にリング３１を設けることによって左胸ベルト２７の長さが調整可能となっている。
【００３７】
ここで、本実施形態の膨張式救命胴衣４０についてさらに図５〜図６を参照して説明する。なお、図５は、膨張式救命胴衣の正面図及び背面図であり、図６は、膨張式救命胴衣の気室部材を広げた状態及び膨張させた状態を示す正面図である。また、図７は、膨張式救命胴衣を着用者が着用した正面図及び気室部材を膨張させた図であり、図８は、膨張式救命胴衣を固定したハーネス型安全帯を着用者が着用した正面図及び気室部材を膨張させた図である。
【００３８】
図示するように、膨張式救命胴衣４０は、首の後ろから両胸に掛けて着用する逆Ｕ字形状を有するものであり、膨張式救命胴衣４０は、気室部材５０とカバー部材６０と救命胴衣用腰ベルト７０と背ベルト８０とを具備する。
【００３９】
図６に示すように、気室部材５０は、内部に気室５１が設けられた袋状体であり、気室５１に気体が充填されることで膨張するようになっている。
【００４０】
このような気室部材５０は、逆Ｕ字形状を有し、着用者１の右胸上に配置される右胸部５２と、左胸上に配置される左胸部５３と、右胸部５２と左胸部５３との間に設けられて首の周りに配置される首部５４と、を具備する。
【００４１】
右胸部５２と左胸部５３とは、中央部に比べて幅広となるように設けられている。そして、右胸部５２と左胸部５３と首部５４とで形成される首が内部に配置される空間はＶ字形状に形成される。つまり、図６（ａ）に示すように、気室５１に気体が充填されていない状態で右胸部５２と左胸部５３とは少なくとも一部が互いに重なるように形成されており、気室５１内に気体を充填した際には、図６（ｂ）に示すように、右胸部５２と左胸部５３とは内側の面同士が互いに当接するように形成されている。
【００４２】
また、気室部材５０は、自動開栓式ガス充填装置５５と、補助送気装置５６と、ホイッスル５７と、反射部５８と、を具備する。
【００４３】
自動開栓式ガス充填装置５５は、右胸部５２の外周に固定されている。自動開栓式ガス充填装置５５は、水の接触を感知する感知素子を内部に有し、感知素子が水を感知することにより圧縮された気体が保持された気体供給部５５ａを開栓して、気体供給部５５ａから気室５１内に気体を充填して気室部材５０を膨張させる。また、自動開栓式ガス充填装置５５には、紐が設けられており、着用者１が紐を引くことで、圧縮された気体が保持された気体供給部５５ａを開栓して気体供給部５５ａから気室５１内に気体を充填して気室部材５０を膨張させることも可能である。気体供給部５５ａとしては、二酸化炭素（ＣＯ２）が充填されたガスボンベなどを用いることができる。なお、本実施形態では、気室５１内に気体を充填する開栓式ガス充填装置として、自動開栓式ガス充填装置５５を用いたが、開栓式ガス充填装置は、自動式であってもよく、手動式であってもよい。また、開栓式ガス充電装置は、右胸部５２に設けられていても、左胸部５３に設けられていても、右胸部５２及び左胸部５３の両側に設けられていてもよい。
【００４４】
また、補助送気装置５６は、左胸部５３に設けられており、気室５１内の圧力が低下した場合などに、着用者１が息を吹き込むためのものである。補助送気装置５６の内部には、特に図示していない逆止弁が設けられており、気室５１内の気体が漏れ出ないようになっている。また、補助送気装置５６には、気体供給部５５ａから供給された過剰な気体を外部に排出するオーバープレッシャーバルブを備えていてもよい。これにより、気室５１内に過剰な気体が供給されることによる気室部材５０の破裂を防止することができる。なお、補助送気装置５６は、右胸部５２に設けられていても、左胸部５３に設けられていても、右胸部５２及び左胸部５３の両側に設けられていてもよい。
【００４５】
ホイッスル５７は、例えば、呼子笛等からなり、右胸部５２の外周に収納されている。ホイッスル５７は、落下防止対策として右胸部５２と紐５７ａによって接続されている。
【００４６】
反射部５８は、反射板又は反射布からなり、気室部材５０の前面であって、右胸部５２及び左胸部５３の上部にそれぞれ貼付されている。
【００４７】
このような気室部材５０が収容されるカバー部材６０は、図５に示すように、逆Ｕ字形状を有する後面カバー部６１と前面カバー部６２とを有する。カバー部材６０の後面カバー部６１と前面カバー部６２とは、互いに重なり合わせた状態で互いの一辺同士が縫い付けられることで一体化している。本実施形態では、後面カバー部６１と前面カバー部６２とは、内側の一辺が互いに縫い付けられることで、外側が開口して設けられている。すなわち、カバー部材６０は、着用者１の胸の上で相対向する内側ではなく、外側が開口する。なお、カバー部材６０は、本実施形態では、後面カバー部６１と前面カバー部６２との一辺同士を縫い付けるようにしたが、特にこれに限定されず、１枚の布を折り曲げることで後面カバー部６１と前面カバー部６２とを一体としたものであってもよい。
【００４８】
このようなカバー部材６０の内部には、気室５１内に気体が充填されていない萎んだ状態の気室部材５０が折りたたまれて収容されている。すなわち、カバー部材６０の後面カバー部６１と前面カバー部６２との間に萎んだ状態の気室部材５０が挟まれている。
【００４９】
また、前面カバー部６２の一端部には、透過性を有する窓６２ａが設けられており、カバー部材６０の内部の気室部材５０への気体供給部５５ａの装着状態が外部から視認できるようになっている。
【００５０】
後面カバー部６１と前面カバー部６２との互いに縫い付けられた一辺とは反対側の他辺の開口は、開閉可能となっている。具体的には、図５に示すように、気室部材５０（図６参照）の気室５１内に気体が充填されていない萎んだ状態では、気室部材５０がカバー部材６０から飛び出さないようにカバー部材６０の開口は閉じられており、図６に示すように、気室部材５０の気室５１内に気体が充填されて膨張する力によってカバー部材６０は開口して後面カバー部６１と前面カバー部６２とが広がる。本実施形態では、後面カバー部６１と前面カバー部６２との開口は、図示しない面ファスナーによって開閉可能となっている。なお、カバー部材６０の開口を閉じるのは面ファスナーに限定されず、気室部材５０の気室５１内に気体が充填されて膨張する力によって開口するもの、例えば、スナップボタン等の留め具であってもよい。
【００５１】
このようなカバー部材６０は、図１及び図２に示すように、ハーネス型安全帯１０に着脱可能に固定されるようになっている。具体的には、図５に示すように、後面カバー部６１には、右肩ベルト部１４に固定される右上部取付部６３及び右下部取付部６４と、左肩ベルト部１５に固定される左上部取付部６５と左下部取付部６６とを有する。
【００５２】
右上部取付部６３は、右肩ベルト部１４の上部に固定されるものであり、カバー部材６０に固定された２つのベルト６３ａ、６３ｂで構成されている。２つのベルト６３ａ、６３ｂのそれぞれは、カバー部材６０の後面カバー部６１に基端部が固定され、先端が後面カバー部６１の幅方向両側、すなわち、内側及び外側に向かって突出して設けられている。
【００５３】
右上部取付部６３を構成する２つのベルト６３ａ、６３ｂの先端部には、特に図示していないが、互いに着脱可能な面ファスナーが設けられており、図２に示すように、２つのベルト６３ａ、６３ｂの先端同士を右肩ベルト部１４の裏側、すなわち、右肩ベルト部１４の膨張式救命胴衣４０とは反対面側で固定することで、右肩ベルト部１４に固定される。
【００５４】
左上部取付部６５も同様に、２つのベルト６５ａ、６５ｂで構成されており、２つのベルト６５ａ、６５ｂの先端同士を左肩ベルト部１５の裏側、すなわち、左肩ベルト部１５の膨張式救命胴衣４０とは反対面側で固定することで、左肩ベルト部１５に固定される。
【００５５】
なお、本実施形態では、右上部取付部６３及び左上部取付部６５のそれぞれを構成する２つのベルト６３ａ、６３ｂ及び６５ａ、６５ｂの先端同士を面ファスナーで固定するようにしたが、特にこれに限定されず、着脱可能な連結具を用いてもよい。ただし、右上部取付部６３と左上部取付部６５とは、右肩ベルト部１４及び左肩ベルト部１５の首の近くの上部側に設けられているため、右上部取付部６３及び左上部取付部６５は、ハーネス型安全帯１０及び膨張式救命胴衣４０の自重によって着用者１の肩に押しつけられる。このため、右上部取付部６３及び左上部取付部６５に金属や樹脂などの連結具を用いると着用者１が肩に異物感や痛みを感じてしまう虞がある。したがって、右上部取付部６３及び左上部取付部６５には凹凸の少ない面ファスナーを用いることが好ましい。これにより、右上部取付部６３及び左上部取付部６５に大きな凹凸が形成されるのを抑制して、着用者１が肩に異物感や痛みを感じるのを低減することができる。
【００５６】
また、右下部取付部６４は、右肩ベルト部１４の下部に固定されるものであり、カバー部材６０に固定された２つのベルト６４ａ、６４ｂで構成されている。２つのベルト６４ａ、６４ｂのそれぞれは、カバー部材６０の後面カバー部６１に基端部が固定され、先端が後面カバー部６１の幅方向両側、すなわち、内側及び外側に向かって突出して設けられている。
【００５７】
右下部取付部６４を構成する２つのベルト６４ａ、６４ｂのそれぞれの先端部には、互いに連結可能な取付部用連結具６７が設けられており、図２に示すように、２つのベルト６４ａ、６４ｂの先端の取付部用連結具６７同士を右肩ベルト部１４の裏側、すなわち、右肩ベルト部１４の膨張式救命胴衣４０とは反対面側で連結することで、右下部取付部６４は、右肩ベルト部１４に固定される。
【００５８】
左下部取付部６６も同様に、２つのベルト６６ａ、６６ｂで構成されており、２つのベルト６６ａ、６６ｂのそれぞれの先端部には、互いに連結可能な取付部用連結具６８が設けられている。そして、図２に示すように、左下部取付部６６を構成する２つのベルト６６ａ、６６ｂの先端の取付部用連結具６８同士を左肩ベルト部１５の裏側、すなわち、左肩ベルト部１５の膨張式救命胴衣４０とは反対面側で固定することで、左下部取付部６６は左肩ベルト部１５に固定される。
【００５９】
なお、図２に示すように、右下部取付部６４は、ハーネス型安全帯１０の右肩ベルト部１４の右胸ベルト２６が接続された部分よりも下側に固定される位置に設けられ、左下部取付部６６は、左肩ベルト部１５の左胸ベルト２７が接続された部分よりも下側に固定されるように設けられている。右下部取付部６４及び左下部取付部６６を胸ベルトよりも下側の右肩ベルト部１４及び左肩ベルト部１５に固定することで、気室部材５０を膨張させて着用者１を水に浮かせた際に、右下部取付部６４及び左下部取付部６６が右肩ベルト部１４及び左肩ベルト部１５を上側に移動するのを胸ベルトによって規制することができる。したがって、右下部取付部６４及び左下部取付部６６が右肩ベルト部１４及び左肩ベルト部１５を上側に移動することを防止して、着用者１の姿勢が垂直に近づき難くすることができ、着用者１の口元を水面から離すことができ、安全性を向上することができる。なお、右下部取付部６４及び左下部取付部６６を右肩ベルト部１４及び左肩ベルト部１５の胸ベルトが接続された部分よりも上側に固定してもよいが、この場合、気室部材５０を膨張させて着用者１を水に浮かせた際に、右下部取付部６４及び左下部取付部６６が右肩ベルト部１４及び左肩ベルト部１５を上側に移動し、ハーネス型安全帯１０の右肩ベルト部１４及び左肩ベルト部１５の下方、すなわち、胸ベルトよりも下側と膨張式救命胴衣４０とが離れてしまい、着用者１の浮遊姿勢が垂直に近くなり、着用者１の口元が水面に近づくため好ましくない。さらに、右下部取付部６４及び左下部取付部６６を胸ベルトに固定しても良いが、胸ベルトは、胸ベルト用連結具２８、２９によって分離可能となっているため、胸ベルトを分離した際に胸ベルトが環状の右下部取付部６４及び左下部取付部６６から不意に抜けてしまう虞があり、抜けたまま着用すると安全性が低下するため好ましくない。本実施形態では、右下部取付部６４及び左下部取付部６６のそれぞれは、右肩ベルト部１４及び左肩ベルト部１５に固定されるため、右下部取付部６４及び左下部取付部６６が右肩ベルト部１４及び左肩ベルト部１５から不意に抜けてしまうのを防止して、安全性を向上することができる。
【００６０】
また、右下部取付部６４及び左下部取付部６６は、ハーネス型安全帯１０及び膨張式救命胴衣４０の自重によって着用者１に押しつけられ難いため、凹凸が形成されていても異物感及び痛みを感じ難い。したがって、右下部取付部６４及び左下部取付部６６は、着脱し易い取付部用連結具６７、６８によって固定するのが好ましい。これにより、操作性を向上して着脱性を向上することができる。
【００６１】
また、カバー部材６０の最上部には、背ベルト８０の一端が固定されている。また、カバー部材６０の両方の下端部には、救命胴衣用腰ベルト７０が固定されている。背ベルト８０の他端は、救命胴衣用腰ベルト７０に固定されている。本実施形態では、図１に示すように、背ベルト８０及び救命胴衣用腰ベルト７０は、カバー部材６０の後面カバー部６１に縫い付けられて固定されている。また、救命胴衣用腰ベルト７０の両端部には、互いに着脱可能な連結具７１が設けられており、着用者１の胸部分に着用することができる。もちろん、救命胴衣用腰ベルト７０は、端部を連結具７１に通して折り返し、救命胴衣用腰ベルト７０を重ねた状態で維持するリング（図示なし）が設けられており、リングによって救命胴衣用腰ベルト７０の長さが調整可能となっている。
【００６２】
このような膨張式救命胴衣４０では、救命胴衣用腰ベルト７０及び背ベルト８０を設けることによって、膨張式救命胴衣４０をハーネス型安全帯１０に固定することなく、図７に示すように、膨張式救命胴衣４０を単体で着用者１が着用することができる。ちなみに、膨張式救命胴衣４０に救命胴衣用腰ベルト７０及び背ベルト８０が設けられていないと、膨張式救命胴衣４０を単体で着用者１が着用した場合、膨張式救命胴衣４０を首だけで支えることになるため、着用者１を安全に浮遊させることができないため、使用することはできない。
【００６３】
このようなカバー部材６０の後面カバー部６１と前面カバー部６２との間に気室５１に気体が充填されていない気室部材５０が収容される。
【００６４】
ここで、図６に示すように、気室部材５０は、カバー部材６０に固定されている。本実施形態の気室部材５０は、右胸部５２の下端部をカバー部材６０に固定する右胸固定部９０と、左胸部５３の下端部をカバー部材６０に固定する左胸固定部９１と、首部５４をカバー部材６０に固定する首固定部９２と、によってカバー部材６０に固定されている。
【００６５】
右胸固定部９０は、ベルトからなり、一端部がカバー部材６０に固定され、他端部が右胸部５２の下端部の幅方向の外側に固定されている。ここで、右胸部５２の幅方向とは、右胸部５２と左胸部５３との並び方向のことである。また、右胸固定部９０の他端部が右胸部５２の幅方向の外側に固定されているとは、右胸固定部９０が右胸部５２の幅方向の中央よりも外側、すなわち、左胸部５３とは反対側に固定されていることを言う。また、右胸部５２の幅方向の中央とは、右胸部５２の最も広い部分における中央のことである。これにより、右胸固定部９０によって右胸部５２の下端部は、外側がカバー部材６０に固定されている。このため、気室部材５０の気室５１内に気体が充填されて気室部材５０が膨張した際に、図６（ｂ）に示すように、右胸部５２は右胸固定部９０よりも内側、すなわち、着用者１の中心線側に向かって膨張する。つまり、右胸部５２が右胸固定部９０よりも内側に膨張するとは、右胸部５２の右胸固定部９０よりも外側よりも内側の方が大きく膨張することを言う。このように、右胸部５２の右胸固定部９０よりも内側に向かって膨張させることで、図７（ｂ）及び図８（ｂ）に示すように、着用者１の顎下に気室部材５０を配置して、着用者１の顎下の浮力を確保することができ、着用者１を正しい姿勢で水に浮かせることができる。なお、右胸固定部９０の一端部は、本実施形態では、後面カバー部６１に固定されている。これは、膨張式救命胴衣４０を単体で着用者１が着用した際に、救命胴衣用腰ベルト７０は後面カバー部６１に固定されているため、図７（ｂ）に示すように、気室部材５０が膨張した際に後面カバー部６１が幅方向にずれ難く、膨張した気室部材５０の右胸部５２が着用者１の中心線から外側に向かってずれ難いからである。また、膨張式救命胴衣４０をハーネス型安全帯１０に固定した状態では、後面カバー部６１は、右肩ベルト部１４に固定されるため、図８（ｂ）に示すように、気室部材５０が膨張した際に後面カバー部６１が幅方向にずれ難く、膨張した気室部材５０の右胸部５２が着用者１の中心線から外側に向かってずれ難いからである。
【００６６】
左胸固定部９１は、ベルトからなり、一端部がカバー部材６０に固定され、他端部が左胸部５３の下端部の幅方向の外側に固定されている。ここで、左胸部５３の幅方向とは、右胸部５２及び左胸部５３の並び方向のことである。また、左胸固定部９１の他端部が左胸部５３の外側に固定されているとは、左胸固定部９１が左胸部５３の幅方向の中央よりも外側、すなわち、右胸部５２とは反対側に固定されていることを言う。また、左胸部５３の幅方向の中央とは、左胸部の最も広い部分における中央のことである。これにより、左胸固定部９１によって左胸部５３の下端部は、外側がカバー部材６０に固定されている。このため、気室部材５０の気室５１内に気体が充填されて気室部材５０が膨張した際に、左胸部５３は左胸固定部９１よりも内側、すなわち、着用者１の中心線側に向かって膨張する。つまり、左胸部５３が左胸固定部９１よりも内側に膨張するとは、左胸部５３の左胸固定部９１よりも外側より内側の方が大きく膨張することを言う。このように、左胸部５３の左胸固定部９１よりも内側に向かって膨張させることで、図７（ｂ）及び図８（ｂ）に示すように、着用者１の顎下に気室部材５０を配置して、着用者１の顎下の浮力を確保することができ、着用者１を正しい姿勢で水に浮かせることができる。なお、左胸固定部９１の一端部は、後面カバー部６１に固定されている。これは上述した右胸固定部９０と同様に、後面カバー部６１には、救命胴衣用腰ベルト７０が固定されていると共に、後面カバー部６１がハーネス型安全帯１０の左肩ベルト部１５に固定されるため、後面カバー部６１は、幅方向にずれ難く、膨張した気室部材５０の左胸部５３が着用者１の中心線から外側に向かってずれ難いからである。
【００６７】
首固定部９２は、ベルトからなり、一端がカバー部材６０に固定され、他端部が首部５４の内側に固定されている。首固定部９２の一端は、カバー部材６０の後面カバー部６１に固定されている。これにより、着用者１の首と首部５４との間に空間が生じ難く、着用者１の後頭部を首部５４によって支えることができる。
【００６８】
このように、図６（ｂ）に示すように、右胸固定部９０の下端部と左胸固定部９１の下端部との外側をカバー部材６０に固定することによって、気室部材５０の気室５１内に気体を充填して膨張させた際に、カバー部材６０の下端部同士が離れた位置にあっても、右胸部５２、左胸部５３及び首部５４によって形成される空間をＶ字形状に、すなわち、右胸部５２と左胸部５３との両端部の内面同士を互いに当接させた状態とすることができる。
【００６９】
すなわち、膨張式救命胴衣４０を単体で使用する場合、図７（ａ）に示すように、救命胴衣用腰ベルト７０によってカバー部材６０の両端部が着用者１の中心線よりも外側に離れた位置に配置されても、気室部材５０は両端部において外側が右胸固定部９０及び左胸固定部９１によってカバー部材６０に固定されることで、図７（ｂ）に示すように気室部材５０が膨張した際に、気室部材５０は、カバー部材６０との固定部分である右胸固定部９０及び左胸固定部９１よりも内側に向かって膨張することで、気室部材５０を着用者１の顎下に配置して、着用者１の顎下の浮力を確保することができる。
【００７０】
ちなみに、気室部材５０の両端部において、その内側が右胸固定部９０及び左胸固定部９１によってカバー部材６０に固定されていると、右胸部５２及び左胸部５３の端部同士が離れてしまい、着用者１の顎下に空間が形成されてしまう。このように着用者１の顎下に気室部材５０が配置されないと顎を確実に浮かすことができずに、着用者１の浮遊姿勢が安定せずに垂直に近い浮遊姿勢になり、口元を水面から離すことができなくなってしまう。
【００７１】
本実施形態では、カバー部材６０の端部同士が離れていても、気室部材５０は両端部において外側が右胸固定部９０及び左胸固定部９１によってカバー部材６０に固定されることで、気室部材５０が膨張した際に、気室部材５０を着用者１の顎下に配置して、着用者１の顎下の浮力を確保することができ、着用者１を後傾の斜めに浮遊させて、口元を水面から離すことができる。
【００７２】
また、本実施形態の膨張式救命胴衣４０は、カバー部材６０の着用者１の首に接触する内側とは反対側の外側が開口するため、開口に設けられた面ファスナー等が着用者１の首に接触することがない。したがって、膨張式救命胴衣４０を着用した際の擦れが生じることがない。
【００７３】
また、本実施形態の膨張式救命胴衣４０は、図１、図２及び図８に示すように、カバー部材６０の右上部取付部６３及び右下部取付部６４を右肩ベルト部１４に固定すると共に、左上部取付部６５及び左下部取付部６６を左肩ベルト部１５に取り付けることで、ハーネス型安全帯１０に装着される。すなわち、膨張式救命胴衣４０は、ハーネス型安全帯１０を介して着用者１に固定することができるため、膨張式救命胴衣４０の救命胴衣用腰ベルト７０を着用者１が適切な長さで装着する必要がない。もちろん、膨張式救命胴衣４０をハーネス型安全帯１０に装着した場合であっても、膨張式救命胴衣４０の救命胴衣用腰ベルト７０を着用者１に適切な長さで装着すれば、さらに安全性を高めることができる。
【００７４】
そして、右下部取付部６４を右肩ベルト部１４に取り付けると共に、左下部取付部６６を左肩ベルト部１５に取り付けることで、膨張式救命胴衣４０は、右肩ベルト部１４と左肩ベルト部１５とに沿って配置される。したがって、膨張式救命胴衣４０のカバー部材６０の両端部は、右肩ベルト部１４と左肩ベルト部１５との間隔だけ離れた状態で配置される。このため、膨張式救命胴衣４０によってハーネス型安全帯１０の胸ベルト及び胸ベルト用連結具２８、２９が覆われることがなく、膨張式救命胴衣４０を固定したハーネス型安全帯１０を着用者１が容易に脱着することができる。すなわち、図９に示すように、両端部が互いに固定された従来周知の膨張式救命胴衣１４０を用いる場合、膨張式救命胴衣１４０によってハーネス型安全帯１０の胸ベルト及び胸ベルト用連結具２８、２９が覆われてしまい、ハーネス型安全帯１０の脱着が煩雑になる。また、従来周知の膨張式救命胴衣１４０をハーネス型安全帯１０に固定しない場合、ハーネス型安全帯１０の胸ベルトとは別に、救命胴衣用腰ベルト７０を適切な長さで装着しなくてはならず、着用者１は、膨張式救命胴衣１４０の脱着及びハーネス型安全帯１０の脱着が煩雑になる。
【００７５】
本実施形態では、膨張式救命胴衣４０は、ハーネス型安全帯１０の右肩ベルト部１４及び左肩ベルト部１５に沿って固定されるため、ハーネス型安全帯１０の胸ベルト及び胸ベルト用連結具２８、２９が膨張式救命胴衣４０によって覆われることがなく、膨張式救命胴衣４０を固定したハーネス型安全帯１０を着用者１が容易に脱着することができる。また、ハーネス型安全帯１０を着用者１が脱着するだけで、同時に膨張式救命胴衣４０も脱着することが可能なため、脱着を容易にして作業性を向上することができる。
【００７６】
そして、本実施形態では、膨張式救命胴衣４０の両端部を右肩ベルト部１４及び左肩ベルト部１５に固定することで、膨張式救命胴衣４０のカバー部材６０の両端部が離れた位置に配置されていても、本実施形態では、気室部材５０は、両端部において外側が右胸固定部９０及び左胸固定部９１によってカバー部材６０に固定されているため、気室部材５０の気室５１内に気体を充填した際に、気室部材５０の両端部をカバー部材６０に固定された右胸固定部９０及び左胸固定部９１よりも内側に膨張させることができる。したがって、気室部材５０の右胸部５２と左胸部５３とを着用者１の中心線に向かって膨張させて、右胸部５２と左胸部５３との内面同士を当接させると共に当接させた状態を維持することができ、気室部材５０にＶ字形状の空間を形成して、着用者１の顎下に気室部材５０を配置して、着用者１の顎下の浮力を確保することができる。したがって、着用者１の浮遊姿勢を後傾として、口元を水面から離すことができ、安全性を向上することができる。ちなみに、気室部材５０の両端部においてその内側をカバー部材６０に固定してしまうと、本実施形態のように、カバー部材６０の両端部を右肩ベルト部１４及び左肩ベルト部１５に固定した場合には、気室部材５０が膨張した際に右胸部５２と左胸部５３とが着用者１の中心線から外側に向かって膨張し、着用者１の顎下に気室部材５０が配置されずに着用者１の顎下の浮力を確保することができない。このため、着用者１を正しい姿勢で浮かすことができず、口元が水面と近くなり、安全性が低下してしまう。
【００７７】
また、膨張式救命胴衣４０は、ハーネス型安全帯１０に右上部取付部６３、右下部取付部６４、左上部取付部６５、左下部取付部６６によって着脱可能としたため、ハーネス型安全帯１０を単体でも利用することができる。したがって単体のハーネス型安全帯１０と膨張式救命胴衣４０が固定されたハーネス型安全帯１０との両方を用意する必要がなく、コストを低減することができる。
【００７８】
以上説明したように、本実施形態の着脱可能な膨張式救命胴衣４０を備えたハーネス型安全帯１０では、右肩ベルト部１４と左肩ベルト部１５と右腿ベルト部１９と左腿ベルト部２３と右肩ベルト部１４に一端が固定された右胸ベルト２６と左肩ベルト部１５に一端が固定された左胸ベルト２７と右胸ベルト２６と左胸ベルト２７とのそれぞれに設けられて、互いに着脱可能に設けられた連結具である胸ベルト用連結具２８、２９と、を具備するハーネス型安全帯１０と、逆Ｕ字形状を有し、着用者１の首の後ろから両胸に掛けて着用する膨張式救命胴衣４０であって、ハーネス型安全帯１０に着脱可能に設けられた膨張式救命胴衣４０と、を具備し、膨張式救命胴衣４０は、気体が充填されることで膨らむ気室部材５０と、気室部材５０の気室５１に気体が充填されていない状態で当該気室部材５０を内部に保持するカバー部材６０と、を具備し、カバー部材６０は、右肩ベルト部１４及び左肩ベルト部１５に沿って着脱可能に固定されており、カバー部材６０は、気室部材５０の気室５１内に気体が充填されて膨らむことで開き、気室部材５０の両端部のそれぞれは、幅方向の外側がカバー部材６０に固定され、気室部材５０の気室５１内に気体が充填されて膨張した際に、当該気室部材５０は、カバー部材６０との固定部分である右胸固定部９０及び左胸固定部９１よりも内側に向かって膨張する。
【００７９】
このように、膨張式救命胴衣４０をハーネス型安全帯１０に着脱可能とすることで、膨張式救命胴衣４０が設けられていないハーネス型安全帯１０を単体で使用することが可能となり、作業性を向上することができると共に、単体のハーネス型安全帯１０を用意する必要がなく、コストを低減することができる。
【００８０】
また、膨張式救命胴衣４０は、カバー部材６０がハーネス型安全帯１０の右肩ベルト部１４及び左肩ベルト部１５に装着されることで、着用者１は、ハーネス型安全帯１０を脱着するだけで同時に膨張式救命胴衣４０を脱着することができる。したがって、着用者１は、ハーネス型安全帯１０と膨張式救命胴衣４０との脱着を個別に行う必要がなく、作業性を向上することができる。
【００８１】
また、膨張式救命胴衣４０は、ハーネス型安全帯１０の右肩ベルト部１４及び左肩ベルト部１５に沿って装着されるため、膨張式救命胴衣４０がハーネス型安全帯１０の右胸ベルト２６、左胸ベルト２７、胸ベルト用連結具２８、２９等を覆うことがない。したがって、着用者１は、膨張式救命胴衣４０が固定されたハーネス型安全帯１０の右胸ベルト２６、左胸ベルト２７、胸ベルト用連結具２８、２９の操作を容易に行うことができ、脱着を容易に行うことができる。
【００８２】
また、膨張式救命胴衣４０のカバー部材６０がハーネス型安全帯１０の右肩ベルト部１４及び左肩ベルト部１５に沿って固定されることで、カバー部材６０の両端部が着用者１の中心線よりも外側に離れた位置に配置されていても、気室部材５０の両端部は、その外側がカバー部材６０に固定されることで、気室部材５０の気室５１内に気体が充填されて膨張した際に、気室部材５０は、カバー部材６０との固定部分である右胸固定部９０及び左胸固定部９１よりも内側に向かって膨張するため、気室部材５０は、着用者１の中心線に向かって膨張して、着用者１の顎下に配置される。したがって、着用者１の顎下の浮力を確保して、着用者１の浮遊姿勢を安定して後傾させることができ、口元の水面からの距離を確保することができ、安全性を向上することができる。
【００８３】
また、本実施形態の着脱可能な膨張式救命胴衣４０を備えたハーネス型安全帯１０では、カバー部材６０は、幅方向の外側が開口することが好ましい。これにより、カバー部材６０の開口を塞ぐ面ファスナー等が着用者１の首に擦れることがなく、着用性を向上することができる。
【００８４】
また、本実施形態の着脱可能な膨張式救命胴衣４０を備えたハーネス型安全帯１０では、膨張式救命胴衣４０は、カバー部材６０の両端部が固定された救命胴衣用腰ベルト７０と、救命胴衣用腰ベルト７０と前記カバー部材６０の首の後ろの部分とを接続する背ベルト８０と、をさらに具備することが好ましい。このように膨張式救命胴衣４０に救命胴衣用腰ベルト７０と背ベルト８０とを設けることで、膨張式救命胴衣４０をハーネス型安全帯１０に装着することなく、膨張式救命胴衣４０を単体で着用者１が着用することができる。また、着用者１が膨張式救命胴衣４０を単体で着用することで、カバー部材６０の両端部が着用者１の中心線よりも外側に離れた位置に配置されていても、気室部材５０は、着用者１の中心線に向かって膨張させて、着用者１の顎下に配置することができ、着用者１の浮遊姿勢を安定して後傾させることができ、口元の水面からの距離を確保することができ、安全性を向上することができる。
【００８５】
また、本実施形態の着脱可能な膨張式救命胴衣４０を備えたハーネス型安全帯１０では、カバー部材６０の両端部のそれぞれは、右肩ベルト部１４と左肩ベルト部１５との胸ベルトよりも下に着脱可能に固定されることが好ましい。これによれば、気室部材５０が膨張して着用者１を浮かせた際に、カバー部材６０の両端部が右肩ベルト部１４及び左肩ベルト部１５を上方にスライド移動するのを胸ベルトによって規制することができる。したがって、膨張式救命胴衣４０によって着用者１の浮遊姿勢を安定して後傾に維持することができる。
【００８６】
（実施形態２）
図１０は、本発明の実施形態２に係る膨張式救命胴衣の正面図及び背面図であり、図１１は、実施形態２の気室部材を広げた状態及び膨張させた状態を示す正面図である。なお、上述した実施形態と同様の部材には同一の符号を付して重複する説明は省略する。
【００８７】
図示するように、本実施形態のカバー部材６０は、後面カバー部６１と前面カバー部６２とを有する。後面カバー部６１と前面カバー部６２とは重ねた状態で外側の一辺同士が互いに縫い付けられて固定されており、内側が開口するようになっている。また、後面カバー部６１と前面カバー部６２との開口側の辺には、互いに着脱可能な面ファスナーが設けられており、カバー部材６０は気室部材５０の膨張する力によって開口する。
【００８８】
このようなカバー部材６０内に萎んだ状態の気室部材５０が収容されている。気室部材５０は、右胸固定部９０、左胸固定部９１及び首固定部９２によってカバー部材６０に固定されている。
【００８９】
右胸固定部９０は、ベルトからなり、一端がカバー部材６０の後面カバー部６１に固定されており、他端が右胸部５２の幅方向外側に固定されている。
【００９０】
左胸固定部９１は、ベルトからなり、一端がカバー部材６０の後面カバー部６１に固定されており、他端が左胸部５３の幅方向外側に固定されている。
【００９１】
首固定部９２は、カバー部材６０の後面カバー部６１に固定されている。
【００９２】
このような膨張式救命胴衣４０であっても上述した実施形態１と同様に、単体であっても使用することができると共に、単体で使用した際に膨張した気室部材５０が着用者１の顎下に配置され、着用者１の浮遊姿勢を安定して後傾にすることができ、口元を水面から離すことができる。
【００９３】
また、膨張式救命胴衣４０をハーネス型安全帯１０に固定することで、ハーネス型安全帯１０の胸ベルト及び胸ベルト用連結具２８、２９が覆われることがない。また、ハーネス型安全帯１０に固定した膨張式救命胴衣４０の気室部材５０が膨張した際に、気室部材５０を着用者１の顎下に配置することができ、着用者１の浮遊姿勢を安定して後傾にすることができ、口元を水面から離すことができる。
【００９４】
さらに、着用者１がハーネス型安全帯１０を着脱するだけで、ハーネス型安全帯１０と共に膨張式救命胴衣４０を着脱することができるため、膨張式救命胴衣４０の着脱を容易にして作業性を向上することができる。
【００９５】
（実施例１）
上述した実施形態１の膨張式救命胴衣が固定されたハーネス型安全帯を着用者が着用したものを実施例１とした。
【００９６】
（実施例２）
上述した実施形態１の膨張式救命胴衣の右下部取付部及び左下部取付部をハーネス型安全帯の右肩ベルト部及び左肩ベルト部の胸ベルトよりも上方に固定し、それを着用者が着用したものを実施例２とした。
【００９７】
（実施例３）
上述した実施形態１の膨張式救命胴衣を単体で着用者が着用し、救命胴衣用腰ベルトを着用者に適正な長さに調整したものを実施例３とした。
【００９８】
（実施例４）
上述した実施形態１の膨張式救命胴衣を単体で着用者が着用し、救命胴衣用腰ベルトを最大限に長くしたものを実施例４とした。
【００９９】
（実施例５）
上述した実施形態２の膨張式救命胴衣が固定されたハーネス型安全帯を着用者が着用したものを実施例５とした。
【０１００】
（実施例６）
上述した実施形態２の膨張式救命胴衣の右下部取付部及び左下部取付部をハーネス型安全帯の右肩ベルト部及び左肩ベルト部の胸ベルトよりも上方に固定し、それを着用者が着用したものを実施例６とした。
【０１０１】
（実施例７）
上述した実施形態２の膨張式救命胴衣を単体で着用者が着用し、救命胴衣用腰ベルトを着用者に適正な長さに調整したものを実施例７とした。
【０１０２】
（実施例８）
上述した実施形態２の膨張式救命胴衣を単体で着用者が着用し、救命胴衣用腰ベルトを最大限に長くしたものを実施例８とした。
【０１０３】
（試験例）
上述した実施例１〜８の気室部材の気室内に気体を充填して膨張させた状態で浮遊性能として着用者の水面の垂線方向に対する角度と、水面から口元までの距離とを測定した。この結果を下記表１に示す。なお、着用者の体重は７０ｋｇであり、膨張式救命胴衣の基準の浮力は約１７ｋｇである。また、着用者の浮遊角度は、着用者を撮影して角度を測定したものであり、プラス（＋）が後傾を表し、マイナス（−）が前傾を表している。
【０１０４】
【表１】
2020031861.tif 000003
【０１０５】
表１に示すように、実施例１〜８の何れの場合であっても、着用者１の浮遊姿勢が前傾ではなく後傾となり、且つ口元の水面からの距離を０ｃｍ以上とすることができる。
【０１０６】
特に、実施例１の膨張式救命胴衣を固定したハーネス型安全帯を装着した着用者の浮遊角度が＋５５度と最も大きな角度とすることができ、口元の水面からの距離を１２ｃｍと最も離すことができたため、膨張式救命胴衣の気室部材が着用者の顎下に配置され、着用者の顎を気室部材が確実に浮かしていることが分かる。つまり、実施例３のハーネス型安全帯を用いずに、膨張式救命胴衣を単体で使用した場合よりも、実施例１の膨張式救命胴衣をハーネス型安全帯に装着した場合の方が、浮遊姿勢及び口元の水面からの距離が優れていることが分かった。実施形態５の場合も同様に、実施例７のハーネス型安全帯を用いずに、膨張式救命胴衣を単体で使用した場合よりも、実施例５の膨張式救命胴衣をハーネス型安全帯に装着した場合の方が、浮遊姿勢及び口元の水面からの距離も優れていることが分かった。
【０１０７】
また、実施例１の膨張式救命胴衣を固定したハーネス型安全帯を着用した着用者の浮遊角度が＋５５度であったのに対し、実施例２の膨張式救命胴衣の右下部取付部及び左下部取付部をハーネス型安全帯の右肩ベルト部及び左肩ベルト部の胸ベルトよりも上方に固定した場合の＋３５度よりも大きな角度となることが分かった。これは、実施例１では、膨張式救命胴衣の右下部取付部及び左下部取付部がハーネス型安全帯の胸ベルトよりも下側に固定されていると、右下部取付部及び左下部取付部が胸ベルトによって上方への移動が規制され、膨張式救命胴衣がハーネス型安全帯の背ベルトを引っ張る形になるため、着用者の体全体が浮き上がるような形となるからである。これに対して、実施例２では、右下部取付部及び左下部取付部が肩ベルト上を上方に移動し、結果として膨張式救命胴衣がハーネス型安全帯よりも上方に浮き上がってしまい、膨張式救命胴衣が着用者の首だけを保持するような形になるため、浮力姿勢が垂直に近づいてしまう。このため、実施例１のように、膨張式救命胴衣の右下部取付部及び左下部取付部がハーネス型安全帯の胸ベルトよりも下側に固定するなど、膨張式救命胴衣の右下部取付部及び左下部取付部が、ハーネス型安全帯の肩ベルトを上方に移動しないように固定することで、着用者の安定した浮力姿勢を確保することができる。
【０１０８】
また、実施例４では、着用者の浮遊角度が最も小さい＋１０度となり、口元の水面からの距離も最も低い３ｃｍとなっており、実施例８では、浮遊角度は＋３０度であるものの口元の水面からの距離が４ｃｍと低くなっているため、救命胴衣用腰ベルトの調整の必要性を確認できた。
【０１０９】
（他の実施形態）
以上、本発明の各実施形態について説明したが、本発明の基本的な構成は上述したものに限定されるものではない。
【０１１０】
例えば、上述した各実施形態では、膨張式救命胴衣４０として、カバー部材６０の幅方向の外側が開く外開き及び内側が開く内開きの構成を例示したが、特にこれに限定されず、前面カバー部６２の幅方向中央部が開く中央開きであってもよい。何れの場合であっても、気室部材５０の両端部のそれぞれを、幅方向の外側でカバー部材６０と固定することで、気室部材５０が膨張した際に着用者１の顎下に膨張した気室部材５０を配置して浮遊姿勢を安定させることができ、口元の水面からの距離を確保することができる。
【０１１１】
また、上述した各実施形態では、気室部材５０にホイッスル５７及び反射部５８等を設けるようにしたが、これらホイッスル５７及び反射部５８は必ずしも必要ではなく、適宜省くことができる。
【０１１２】
また、本発明のハーネス型安全帯は、上述した各実施形態のハーネス型安全帯１０に限定されるものではなく、少なくとも左右の肩ベルト部と左右の胸ベルト部とを有するハーネス型安全帯であれば、その他のベルト部、例えば、腰ベルト部などを有するものであってもよい。
【符号の説明】
【０１１３】
１…着用者、１０…ハーネス型安全帯、１１、１２…ベルト、１３…バックル、１４…右肩ベルト部、１５…左肩ベルト部、１６、１７…連結具、１８…リング、１９…右腿ベルト部、２０、２１…連結具、２２…リング、２３…左腿ベルト部、２４…尻当てベルト、２５…背当て布、２６…右胸ベルト、２７…左胸ベルト、２８、２９…胸ベルト用連結具、３０、３１…リング、４０…膨張式救命胴衣、５０…気室部材、５１…気室、５２…右胸部、５３…左胸部、５４…首部、５５…自動開栓式ガス充填装置、５５ａ…気体供給部、５６…補助送気装置、５７…ホイッスル、５７ａ…紐、５８…反射部、６０…カバー部材、６１…後面カバー部、６２ａ…窓、６２…前面カバー部、６３…右上部取付部、６３ａ、６３ｂ…ベルト、６４…右下部取付部、６４ａ、６４ｂ…ベルト、６５…左上部取付部、６５ａ、６５ｂ…ベルト、６６…左下部取付部、６６ａ、６６ｂ…ベルト、６７、６８…取付部用連結具、７０…救命胴衣用腰ベルト、７１…連結具、８０…背ベルト、９０…右胸固定部、９１…左胸固定部、９２…首固定部
【図１】
2020031861.tif 000004
【図２】
2020031861.tif 000005
【図３】
2020031861.tif 000006
【図４】
2020031861.tif 000007
【図５】
2020031861.tif 000008
【図６】
2020031861.tif 000009
【図７】
2020031861.tif 000010
【図８】
2020031861.tif 000011
【図９】
2020031861.tif 000012
【図１０】
2020031861.tif 000013
【図１１】
2020031861.tif 000014